(57)【要約】【課題】装着されるレンズ３０に働く外力に対して、強いレンズ保持力を備えたフルリムタイプの眼鏡に使用する眼鏡用リム１０を提供する。【解決手段】レンズを嵌め込んで保持するリム溝２０を備え、リム溝２０は対向する２つの斜面２１、２２を備えると共に、一方の斜面２１の仰角αを３２〜４０度とし、他方の斜面２２の仰角βを２０〜２８度とする。また、仰角αと仰角βの比を１．３〜１．８とする。【選択図】図２
2010091605.tif 000002
【特許請求の範囲】
【請求項１】
フルリムタイプの眼鏡において、レンズを嵌め込んで保持するリム溝を備える眼鏡用リムであって、前記リム溝は対向する２つの斜面を備えると共に、一方の斜面の仰角αが３２〜４０度であり、他方の斜面の仰角βが２０〜２８度であることを特徴とする眼鏡用リム。
【請求項２】
前記仰角αと前記仰角βの比が、１．３〜１．８であることを特徴とする請求項１に記載の眼鏡用リム。
【請求項３】
前記リム溝の深さが、０．６ｍｍ以下であることを特徴とする請求項１又は２に記載の眼鏡用リム。
【請求項４】
リム幅が、２．５ｍｍ以下であることを特徴とする請求項１乃至３の何れかに記載の眼鏡用リム。
【請求項５】
前記一方の斜面が、装着する人の顔面側に使用されることを特徴とする請求項１乃至４の何れかに記載の眼鏡用リム。
【発明の詳細な説明】
【技術分野】
【０００１】
本発明はフルリムタイプの眼鏡に使用される眼鏡用リムに関し、リム溝に嵌め込まれたレンズが容易に離脱することのない眼鏡用リムに関する。
【背景技術】
【０００２】
フルリムタイプの眼鏡に使用される眼鏡用リムとしては、例えば特許文献１に記載されているような形状のリムが一般的である。図５に示すように、特許文献１に記載された眼鏡用リム１１０は、レンズを嵌め込んで保持するリム溝１２０を備え、リム溝１２０は対向する２つの斜面１２１、１２２を備えている。
【０００３】
そして、一方の斜面１２１の仰角αと他方の斜面１２２の仰角βとは、ほぼ同じ角度を備えている。すなわち、仰角αと仰角βとは、夫々３０〜４５度の間の角度とされるのが一般的である。一方、このような眼鏡用リム１１０に取り付けられるレンズ１３０は、その周縁部をリム溝１２０の形状に合わせて２つの斜面を備えた形状にすると共に、夫々の斜面が仰角α及び仰角βに密着するように成形される。
【０００４】
このような眼鏡用リム１１０を用いた従来の眼鏡では、レンズ１３０に大きな外力が働くと、レンズ１３０がリム溝１２０から外れてしまうという問題がある。そこで、レンズ１３０に外力が働いても、レンズ１３０がリムから外れないように、リム溝の深さｄを深くすることが行われている。
【０００５】
しかしながら、リム溝の深さｄの寸法を大きくするほど、ヤゲン角度θが小さくなる。この結果、レンズ１３０とリム溝１２０との整合性が悪くなり、微調整が難しいという問題がある。そして、少しでも整合に不十分な部分があった場合には、レンズ１３０の周縁に破損を生じたり、かえってレンズ１３０がリム溝１２０から外れやすくなったりする傾向がある。
【０００６】
特に、最近ではレンズ１３０の素材が、ガラスからプラスチックとなったために気温の変化による伸縮が大きく、レンズ１３０が夏季に比べて冬季に著しく収縮する傾向がある。このため、冬季にレンズ１３０がリム溝１２０から外れやすくなっている。また、プラスチック系レンズは、ガラス系レンズと比較して柔軟性があるために、リム溝１２０から外れやすくなっている。
【特許文献１】特開２００６−２４３１６８号公報
【発明の開示】
【発明が解決しようとする課題】
【０００７】
したがって、本発明の目的は、リム溝に装着されたレンズが外力によって簡単に外れることのない眼鏡用リムを提供することにある。すなわち、大きな外力に対して強いレンズ保持力を備えた眼鏡用リムを提供することにある。また、従来と比較して断面積が大きくなることはなく、従来と同様に軽量でスマートな眼鏡用リムを提供することにある。
【課題を解決するための手段】
【０００８】
上記の課題を解決するために、本発明の請求項１に係る眼鏡用リムは、フルリムタイプの眼鏡において、レンズを嵌め込んで保持するリム溝を備える眼鏡用リムであって、前記リム溝は対向する２つの斜面を備えると共に、一方の斜面の仰角αが３２〜４０度であり、他方の斜面の仰角βが２０〜２８度である手段を採用している。
【０００９】
また、本発明の請求項２に係る眼鏡用リムは、請求項１に記載の眼鏡用リムであって、前記仰角αと前記仰角βの比が、１．３〜１．８である手段を採用している。また、本発明の請求項３に係る眼鏡用リムは、請求項１又は２に記載の眼鏡用リムであって、前記リム溝の深さが、０．６ｍｍ以下である手段を採用している。また、本発明の請求項４に係る眼鏡用リムは、請求項１乃至３の何れかに記載の眼鏡用リムであって、リム幅が、２．５ｍｍ以下である手段を採用している。また、本発明の請求項５に係る眼鏡用リムは、請求項１乃至４の何れかに記載の眼鏡用リムであって、前記一方の斜面が、装着する人の顔面側に使用される手段を採用している。
【発明の効果】
【００１０】
本発明の眼鏡用リムは、上記の手段を採用することにより、前述の課題を解決することができる。すなわち、本発明の眼鏡用リムは、外力に対して強いレンズ保持力を備え、レンズに強い外力が働いても、リム溝に装着されたレンズが簡単に外れることはない。また、本発明の眼鏡用リムは、従来と同様に、軽量でありスマートである。
【発明を実施するための最良の形態】
【００１１】
以下、本発明を図１〜図４に示す実施例により説明するが、これらの図は本願発明を何ら限定するものではない。本発明の眼鏡用リム１０は、図１に示すような一般的な外観形状を備えているフルリムタイプの眼鏡において、レンズを嵌め込んで保持するリム溝２０を備える眼鏡用リム１０である。その材質は、チタン合金等の素材を含む金属全般である。
【００１２】
金属製フルリムタイプの眼鏡用リム１０は、一般に、夫々の側に切れ目１１を入れることによって、レンズ３０の装着及び脱着を簡単にしている。このような切れ目１１は、何れの位置に設けても良いが、目立たないようにするためには、ブリッジ部分やブローチ部分の裏側に設けることが好ましい。
【００１３】
図２〜図４に示すように、本発明の眼鏡用リム１０は、リム溝２０に対向する２つの斜面を備えていると共に、その断面形状に特徴を備えている。すなわち、２つの斜面の仰角は等しく形成されておらず、一方の斜面２１の仰角αが他方の斜面２２の仰角βよりも大きくなるように形成されている。
【００１４】
仰角αは３２〜４０度の範囲とすることが好ましく、３４〜３８度の範囲とすることがより好ましい。また、仰角βは２０〜２８度の範囲とすることが好ましく、２２から２６度の範囲とすることがより好ましい。上記の範囲を外れた場合には、本発明の効果を発揮することができない。
【００１５】
さらに、仰角αと仰角βとの比は、１．３〜１．８であることが好ましく、１．４〜１．７であることがより好ましい。上記の範囲を外れた場合には、本発明の効果を発揮することができない。或いは、眼鏡用リム１０を、軽量でスマートにすることができない。
【００１６】
本発明の眼鏡用リム１０は、外力に対して強いレンズ保持力を備えるために、リム溝の深さｄは、比較的浅くすることが可能である。すなわち、リム溝の深さｄを０．４〜０．６ｍｍとすることが可能であり、０．６ｍｍ以下の場合でも、従来よりも強いレンズ保持力を発揮することができる。したがって、この眼鏡用リム１０を使用する眼鏡の全体を、軽量でスマートにすることができる。
【００１７】
また、本発明の眼鏡用リム１０は、外力に対して強いレンズ保持力を備えるために、リム幅ｗを比較的狭くすることができる。すなわち、リム幅ｗを２．０〜２．５ｍｍとすることが可能であり、２．５ｍｍ以下の場合でも、従来よりも強いレンズ保持力を発揮することができる。したがって、この眼鏡用リム１０を使用する眼鏡の全体を、軽量でスマートにすることができる。
【００１８】
図３は、レンズ３０をリム溝２０に装着する前の状態を示し、斜面２１と斜面２２を備えたリム溝２０の断面形状に合わせて、装着されるレンズ３０の周縁部３１の断面形状が形成されていることを示している。
【００１９】
図４は、レンズ３０をリム溝２０に装着している状態を示し、リム溝２０の一方の斜面２１にレンズ３０の一方の斜面が密着し、リム溝２０の他方の斜面２２にレンズ３０の他方の斜面が密着して装着されていることを示している。すなわち、リム溝２０とレンズ３０とは、両方の斜面において面接触するように形成されていることを示している。
【００２０】
本発明の眼鏡用リム１０を使用した眼鏡に、レンズ３０を装着してレンズ３０に外力を加え、レンズ外れ強度を測定した。この結果、従来のフルリムタイプの眼鏡では、１ｃｍ2当たり８０ニュートン程度であったが、本発明の眼鏡用リム１０を使用した眼鏡では、１ｃｍ2当たり約１００ニュートン程度の強度となることが分かった。
【００２１】
本発明の眼鏡用リム１０は、一方の傾斜２１の仰角αを３２度以上と大きくしたことにより、一方の傾斜２１に向かう方向の外力に対して、強いレンズ保持力を発揮することができる。また、他方の傾斜２２の仰角βを２８度以下と小さくしたことにより、他方の傾斜２２に向かう方向の外力に対して、レンズ保持力が低下するように思われるが、以下の理由により逆の結果となる。
【００２２】
なぜならば、ヤゲン角度θは従来と同様に比較的大きくすることができるために、レンズ３０とリム溝２０との整合性を低下させることなく、微調整が容易という利点がある。そして、他方の斜面２２とこれに接するレンズ面が、広い面積で接触することとなるために摩擦力が大きくなり、外力に対するレンズ保持力が増大するのである。この結果、上記のような測定結果となる。
【００２３】
したがって、本発明の眼鏡用リム１０を使用した場合に、この眼鏡を装着する人は、２つの斜面２１、２２のどちら側をも顔面側に使用することができる。しかしながら、レンズ３０とリム溝２０との整合性が不十分である場合が起こることを想定すると、一方の斜面２１が顔面側に使用されることが、より好ましい。
【図面の簡単な説明】
【００２４】
【図１】本発明の眼鏡用リムの外観形状を示す概略図である。
【図２】本発明の眼鏡用リムの一例を示す概略断面図である。
【図３】レンズをリム溝に装着する前の状態を示す概略断面図である。
【図４】レンズをリム溝に装着している状態を示す概略断面図である。
【図５】従来の眼鏡用リムの一例を示す概略断面図である。
【符号の説明】
【００２５】
１０、１１０  眼鏡用リム
１１  切れ目
２０、１２０  リム溝
２１、１２１  一方の斜面
２２、１２２  他方の斜面
３０、１３０  レンズ
３１  周縁部
ｄ  リム溝の深さ
ｗ  リム幅
α、β  仰角
θ  ヤゲン角
【図１】
2010091605.tif 000003
【図２】
2010091605.tif 000004
【図３】
2010091605.tif 000005
【図４】
2010091605.tif 000006
【図５】
2010091605.tif 000007